(57)【要約】本発明は、靴、運動靴、ゴルフ靴、上履き、サンダル、作業靴のような、あらゆる種類の履物の上部（足の甲）の皮部分（外皮、内皮、中皮）と底部分（上底、タクソン、中底、下底）に、天然ゲルマニウム鉱石粉末を添加された履物に関するものである。ゲルマニウム（Ｇｅ）は、遠赤外線を多量放出する物質である。さらに、ゲルマニウムは、人体の温熱効果、自律神経系の均衡促進効果及び皮膚の血流量を増加させる効能と、血液循環及び新陳代謝を促進し、電磁波遮蔽及び静電気防止の効果がある。
2006527019.tif 000002
【特許請求の範囲】
【請求項１】
合成革又は天然革２ａ製の上部（足の甲）の皮部分２と、ゴム材料と合成樹脂製の底部分３とを有する履物であって、
ここで、ゲルマニウム（Ｇｅ）成分が０．３６〜１．０５％以上含まれている天然ゲルマニウム鉱石が、３５０〜５００メッシュに粉砕された後、４００℃で焼成されて、前記上部皮部分２と前記底部分３に、添加されていることを特徴とする履物である。
【請求項２】
第１項の履物であって、前記上部皮部分２は、天然革製の外カバー２ａと、ＰｕやＰＶＣのような合成革製の内カバー２ｂ、またはウレタンフォーム製の中カバー２ｃから成り、
７８〜９６重量％の上部皮材料に、１〜２％の酢酸セルロース／アセトン溶液及びゲルマニウム鉱石粉末１ａ３〜２０％が含浸させられることを特徴とする履物である。
【請求項３】
第１項の履物であって、前記底部分３は、ゴム材料と合成樹脂の混合物を使って造られる上底３ａ、タクソン３ｂ、中底３ｃ、及び下底３ｄから成り、
これらの底が成型される時、ゲルマニウム鉱石粉末１ａ３〜２０％が、普通のゴム、Ｐｕ、ＥＶＡのような材料８０〜９７重量％と混合されることを特徴とする履物である。
【発明の詳細な説明】
【技術分野】
【０００１】
本発明は、天然ゲルマニウム（Ｇｅ）が添加された履物に関する。特に、靴、運動靴、ゴルフ靴、上履き、サンダル、作業靴のような、あらゆる種類の履物において、天然革や人造革及びウレタンフォームでできた上部（足の甲）の皮部分と上底、中底、下底から成る底部分に天然ゲルマニウムが添加された履物に関する。
【背景技術】
【０００２】
従来、天然玉や麦飯石、永久磁石、及びゲルマニウムのような成分を使った機能性履物が公知である。しかしながら、このような履物において、これらの成分は接着剤で接着され、又は別途工夫して埋め込まれる。これらの機能性素材は容易に脱離する。したがって、その機能性が失われるという弊害がある。
【発明の詳細な説明】
【０００３】
したがって、本発明は、前記の問題点を解決するためになされた。本発明によると、ゲルマニウムＧｅ成分が０．３６〜１．０５％以上含まれている天然鉱石を３５０〜５００メッシュ（ｍｅｓｈ）に粉砕して、４００℃で焼成したゲルマニウム鉱石粉末１ａを使って、履物本体１の上部皮部分２(天然革、人造革及びウレタンフォーム）及び底部分３（上底、中底、下底）を製造する。
まず最初、７８〜９６重量％の上部皮材料に１〜２％の酢酸セルロース／アセトン溶液及びゲルマニウム鉱石粉末１ａ３〜２０重量％を含浸させる。次に、底部分３（上底、中底、下底）の製造においては、普通のゴム、Ｐｕ、ＥＶＡのような化学材料８０〜９７重量％にゲルマニウム鉱石粉末１ａ３〜２０重量％を添加する。
更に、上部皮部分２と底部分３が結合構成された機能性履物は、坑菌作用、除臭、電磁波遮蔽及び静電気防止などの効果があり、従来の各種機能性履物に比べて長時間の使用できる。
【実施例】
【０００４】
ここで、本発明について、添付図面を参照して、好ましい実施例と結び付けて詳細に説明する。
本発明に使われるゲルマニウム（Ｇｅ）鉱石は、慶尚北道慶州市山内面にあるゲルマニウム鉱山で採掘されたＣu３（Ｇｅｆｅ）Ｓ４型（ゲルマン鉱型）鉱石である。この鉱石は、ゲルマニウム成分が０．３６〜１．０５％含まれている。この鉱石の詳細な成分は次の通りである。
2006527019.tif 000003
【０００５】
Ｃｕ３（Ｇｅｆｅ）Ｓ４型ゲルマニウム（Ｇｅ）は、遠赤外線を９４％放射する特性がある。
【０００６】
遠赤外線は、波長が約５．６ミクロンから１０００ミクロンの範囲を持つ光の一種である。あらゆる生命体に放射される時、人体の生理活動を促進させる。したがって、医療関連物や生活関連物に遠赤外線が利用される。このような遠赤外線は、鮮度維持、熟成機能、除臭機能、浄化機能及び水の活性化のような多くの産品に依存した多くの用途がある。
【０００７】
ゲルマニウム鉱石粉末１ａの製造方法は、ゲルマニウムが含まれている天然鉱石を４００℃で焼成して、３５０〜５００メッシュに粉砕することである。
【０００８】
特に、ゲルマニウム鉱石の成分は、微量の必須ミネラル、カリウム、カルシウム、シリカ、アルミナ、鉄、望間などを含む。この鉱石の粉砕方法は、クラッシャー（ｃｒｕｓｈｅｒ）又はボールミール（ｂａｌｌ  ｍｉｌｌ）を利用して粉砕する。特に、ゲルマニウムは人体に適した遠赤外線を放出する物質である。遠赤外線の放射効果は、人体の成長促進、温熱効果、電磁波遮蔽効果、静電気防止及び自律神経系の均衡促進、血液循環及び新陳代謝を促進させるという複合的な効果を有する。
【０００９】
本発明により、３５０〜５００メッシュの微細なゲルマニウム鉱石粉末１ａを、履物本体１の上部皮部分２及び底部分３に添加する。
【００１０】
ここで、履物本体１において、羊皮、牛皮、豚皮のような天然革２ａを製造する工程を説明する。
まず、水漬（ｓｏａｋｉｎｇ）工程と脱毛（ｌｉｍｉｎｇ）工程を行う。次に、なめし（ｔａｎｎｉｎｇ）工程で天然皮２ａから動物性脂肪を除去する。次に、複合なめし（Ｃｏｍｂｉｎａｔｉｏｎ  ｌｉｍｉｎｇ）工程、後処理（ｆｉｎｉｓｈｉｎｇ）工程を行う。このことによって植物性の革が生成される。上述において、なめし工程に続いて複合なめし工程を行う時、７８〜９６重量％の上部皮革材料に１〜２％の酢酸セルロース／アセトン溶液及びゲルマニウム（Ｇｅ）鉱石粉末１ａ３〜２０％を含浸させる。
【００１１】
また、ＰｕやＰＶＣのような人造革の場合、まずＤＭＦが入っている液化タンクに織物を投入する。固化槽を通して固体化させた後、また、洗浄槽（ｗａｓｈｉｎｇ  ｂａｔｈ）で洗浄する。乾燥釜（ｄｒｙｉｎｇ  ｏｖｅｎ）で乾燥させる。上記で、ゲルマニウム（Ｇｅ）鉱石粉末３〜２０重量％を液化タンクで含浸させる。
【００１２】
革製の外カバー２ａに付着される布製の内カバー２ｂの合成革材料８０〜９７重量％に、前記ゲルマニウム鉱石粉末１ａ３〜２０重量％の水溶液を含浸させる。かかとと上部皮部分に挿入される中カバーの場合、弾力性のあるウレタンフォームからなる中カバー２ｃを使用する。この中カバーにも前記と同じように、ゲルマニウム鉱石粉末１ａを添加する。
さらに、底部分３には、上底３ａ、タクソン部分３ｂ、中底３ｃ、下底３ｄが含まれる。上底３ａ、タクソン部分３ｂ、中底３ｃ、下底３ｄを製造するために、各々の用途に適したゴム材料と合成樹脂材料を混ぜる。これら混合化学材料８０〜９７重量％にゲルマニウム鉱石粉末１ａ３〜２０重量％を添加する。次に、これを撹拌機で撹拌し、プレス機で圧縮する。
【００１３】
前記した通り、履物本体１を製造する場合、ゲルマニウム鉱石粉末１ａが含まれている上部皮部分２と下部の底部分３は普通の方法で結合構成される。本発明は上記のものに限定されるものではなくて、靴、運動靴、ゴルフ靴、上履き、サンダル及び登山靴のような、あらゆる履物に適用することができることを注意しておく。
特に、足の裏には五臓六腑と連結された経穴が集合している。したがって、本発明による履物を履く時、履く者が足から出す放射熱によって、ゲルマニウム鉱石粉末１ａから多量の遠赤外線が放出される。したがって、血液循環が向上され、各種電磁波の侵入を遮蔽される。更に、足と脚部分及び人体全身の疲労を減少させる。
【産業上の利用可能性】
【００１４】
本発明により、ゲルマニウム（Ｇｅ）が添加された履物を製造する場合、ゲルマニウム成分が０．３６〜１．０５％含まれている天然鉱石を３５０〜５００メッシュに粉砕して得られたゲルマニウム鉱石粉末１ａを、履物の上部皮部分（天然革、人造革及びウレタンフォーム)に３〜２０％濃度の水溶液に浸漬させる。底部分（上底、中底、下底）を造る場合、普通のゴム、Ｐｕ、ＥＶＡのような化学材料８０〜９７重量％に、ゲルマニウム鉱石粉末１ａ３〜２０重量％を添加し、圧着成型される。
したがって、本発明による履物は、従来の機能性履物に比べて使用の寿命が長くなり、人体の血液循環が良くなり、履物内で発生する臭いを除去し、坑菌作用を有するという効果を有する。これを履く時、足から出す放射熱によって遠赤外線の放射が増幅される。したがって、足と脚の疲労感を減らされ、履物の文化が著しく改善される。
【図面の簡単な説明】
【００１５】
添付図面と結びつけた以下の詳細な説明から、本発明の更なる目的と利点が、より完全に理解できる。
【図１】図１は、本発明による履物を示す正面斜視図である。
【図２】図２は、図１のＡ-Ａ線に沿った履物の断面図である。
【図３】図３は、図２のＢ部分を示す部分拡大図である。
【図４】図４は、図２のＣ部分を示す部分拡大図である。
【図５】図５は、図２のＤ部分を示す部分拡大図である。
【図６】図６は、図２のＥ部分を示す部分拡大図である。
【図１】
2006527019.tif 000004
【図２】
2006527019.tif 000005
【図３】
2006527019.tif 000006
【図４】
2006527019.tif 000007
【図５】
2006527019.tif 000008
【図６】
2006527019.tif 000009
【国際調査報告】
2006527019.tif 000010
2006527019.tif 000011